【事件の表示】
　特願２００１−　５２１１０「管継手」拒絶査定不服審判事件〔平成１４年　９月　６日出願公開、特開２００２−２５００６０〕について、次のとおり審決する。
【結　論】
　本件審判の請求は、成り立たない。
【理　由】
１．手続の経緯
　本願は、平成１３年２月２７日の出願であって、平成１６年６月２５日付けで拒絶査定がなされ、これに対し、平成１６年８月４日に拒絶査定に対する審判請求がなされるとともに、同年９月２日付けで手続補正がなされたものである。
　
２．平成１６年９月２日付けの手続補正についての補正却下の決定
［補正却下の決定の結論］
　　平成１６年９月２日付けの手続補正を却下する。
［理由］
　
（１）補正後の本願発明
　本件補正は、特許請求の範囲の請求項１を次のように補正することを含むものである。
「【請求項１】　天板の取付孔に取付部材を上側から固定し、該取付部材に水栓本体を装着する水栓の取付装置において、天板の取付孔に上側から配置され上下方向に細孔と縦孔とが近傍に穿設された台座と、取付孔に挿通可能で天板の裏側に密着し、略円弧状で２つの物品に分割され、天板の取付孔を挿通時に折り畳み可能とした座金具と、該座金具を保持すると共に台座に穿設された細孔に挿通し、天板の上側から座金具を引上げ可能としたスプリングからなる連結材と、台座の細孔近傍に穿設された縦孔に挿通し、天板の下側で座金具に締結可能な締結具とからなり、前記座金具を連結材の操作で天板の裏画面へ引上げて密着させ、締結具により天板へ固定することを特徴とする水栓の取付装置。」
　上記補正は、請求項１に記載した発明を特定するために必要な事項である「台座」を、「上下方向に細孔と縦孔とが近傍に穿設された台座」に、「連結材」を「台座に穿設された細孔に挿通し、・・・連結材」に、さらに「締結具」を「台座の細孔近傍に穿設された縦孔に挿通し、・・・締結具」に減縮するものであり、特許法第１７条の２第４項第２号に掲げる特許請求の範囲の減縮を目的とするものに該当する。
　そこで、本件補正後の前記請求項１に記載された発明（以下、「本願補正発明」という。）が特許出願の際独立して特許を受けることができるものであるかについて以下に検討する。
　
（２）引用例
　原査定の拒絶の理由に引用され、本願の出願前に頒布された刊行物である特開平１０−１０２５５６号公報（以下、「引用例」という。）には、次の（イ）ないし（タ）の事項が記載されている。
（イ）「取付け面に開けた取付け孔の周りの表裏両面を狭圧して水栓を固定する装置であって、取付け面の表面側に配置されて水栓本体を連結する支持具と、取付け孔に差し通し可能な嵩に少なくとも二つ折り状に折り畳み可能であって且つ取付け孔周りの裏面に突き当たる形状に展開可能な座金部材と、この座金部材の折り畳み線を挟んだ少なくも２点に連接されて支持具側との間に連鎖させた連鎖材と、支持具と座金部材との間に介装され取付け面の表面側からの操作によってこれらの支持具と座金部材とを接近させる向きに移動させる操作手段とからなる水栓の固定装置。」（【特許請求の範囲】【請求項１】）
（ロ）「【発明の属する技術分野】
　本発明は、たとえばキッチンのカウンター等に固定して使用する湯水混合水栓等の水栓に係り、特にその取付け面の上側からの作業だけで水栓本体を固定できるようにした水栓の固定装置に関する。」（段落【０００１】）
（ハ）「【実施例】
　図１は本発明の固定装置によって水栓の本体をカウンターに固定した例を示す切欠側面図である。（段落【００１６】）
（ニ）「図において、キッチン用のカウンター５１のバックガード側のデッキ５２を取付け面として水栓本体１が固定されている。・・・デッキ５２にはこれらの給水，給湯ホース１ａ，１ｂを通すと共に水栓本体１をデッキ５２上に固定するための固定部材を通すための取付け孔５３を貫通させて設ける。」（段落【００１７】）
（ホ）「水栓本体１は、その下面に一体に連結される固定座２，取付け孔５３周りのデッキ５２の上面に載置される支持具３及びデッキ５２の下面に突き当てて配置される座金部材４を介してデッキ５２に固定される。そして、この固定作業はデッキ５２の上側から作業できるものとし、固定座２及び支持具３との連結部分を隠すための化粧カバー１ｃを本体１の下端部に上下に移動可能に設ける。」（段落【００１９】）
（ヘ）「・・・この（支持具３の）開口３ｃの周りには半径方向に対向する２個所にボルト孔３ｄを開けると共にこれらのボルト３ｄのそれぞれの左右両側には小径の通し孔３ｅを設けている。」（段落【００２１】）
（ト）「・・・座金部材４は図４に示すようにほぼ半月状の平面形状の一対の座金ピース４ａに分割されたもので、これらの座金ピース４ａはその分割線に対して左右対称として形成されている。・・・」（段落【００２２】）
（チ）「以上の部材から構成される固定装置による水栓本体１のデッキ５２上への固定作業の手順は以下のとおりである。」（段落【００２５】）
（リ）「まず、合計４個所の通し孔４ｆのそれぞれに操作紐６を通したものを準備し、これらの操作紐６の上端を手で持って座金部材４を図８に示すように取付け孔５３の上にもたらす。座金部材４は一対の座金ピース４ａをその半割りした部分を可撓性の接合材５によって連結したものなので、操作紐６によって吊るしたときには図示のように接合材５が蝶番のようになって２枚の座金ピース４ａを折り畳むことができる。そして、この折り畳んだときの座金部材４の全体の平面形状の投影が取付け孔５３よりも小さい寸法関係となるようにしておけば、図８において座金部材４を下ろしていけば、取付け孔５３を通り抜けてデッキ５２の下側に落とし込むことができる。」（段落【００２６】）
（ヌ）「この座金部材４の落とし込みの際には、支持具３と一緒に取り扱うようにして作業することもできる。すなわち、図２に示すように、操作紐６を予め支持具３の通し孔３ｅにも通しておき、その上端側をこの支持具３に引っ掛けておくようにすれば、４本の操作紐６を手で持つのに代えて支持具３を手にとるだけで済む。」（段落【００２７】）
（ル）「座金部材４を図８のように折り畳んで取付け孔５３の中に落とし込んだ後には、操作紐６を引っ張って座金部材４を引き上げる。この作業では、図９で示したスリット３ｆの中に保持されている操作紐６を４本とも同時に引き上げるようにすれば、これらの操作紐６はいずれも支持具３の通し孔３ｅを抜けて上に移動していく。そして、先に説明したように、支持具３と座金部材４のそれぞの通し孔３ｅ，４ｆとは整合する関係にあり、ボルト孔３ｄと雌ネジ孔４ｅも同様に整合する関係にある。したがって、操作紐６が上に移動するにつれて、通し孔３ｅ，４ｆどうしの位置が整合していき、これに伴ってボルト孔３ｄと雌ネジ孔４ｅも整合するようになる。（段落【００２８】）
（ヲ）「図１４は先の例における支持具３に通すボルト７に座金部材を直に連接して取付け孔５３への落とし込み及びこの後の座金部材の展開によるデッキ５２の下面への突き当てを可能とした例である。」（段落【００４２】）
（ワ）「座金部材１４はたとえば図１０〜図１３に示したものの何れかとすることができ、一対の座金ピース１４ａのそれぞれを折り畳み可能に接合すると共に互いが突き合わさる側に切欠１４ｂを形成し、更にこれらの座金ピース１４ａを展開させたときには支持具１３の開口１３ｃに整合するようにこれらの切欠１４ｂが開口を形成できるものとする。そして、この座金部材１４は支持具３に対してボルト１５及びコイルスプリング１６によって予め連接した一つの部品として準備するものとする。」（段落【００４４】）
（カ）「このように２本のコイルスプリング１６によって座金ピース１４ａのそれぞれを連結することによって、コイルスプリング１６の撓み変形を利用して、図１４及び図１５に示すように座金ピース１４ａを折り畳むことができる。すなわち、座金ピース１４ａを手で折り曲げた状態としてこれらを取付け孔５３の中に入り込ませた後には、コイルスプリング１６の復元によって図１７の（ａ）に示すように座金部材１４の重量負荷によってコイルスプリング１６が下に直線状に伸びるようになる。したがって、２本のコイルスプリング１６によって保持された座金ピース１４ａは円板状に開いた姿勢に展開される。」（段落【００４６】）
（ヨ）「この後、ボルト１５をボルト孔１３ｄの中で回転させると、この回転にしたがってコイルスプリング１６の中をボルト１５が進むようになる。そして、図１７の（ａ）のように支持具１３をデッキ５２の上に載せた状態として更にボルト１５を回転させるとそのヘッド部分が支持具１３の底壁に当たって下への移動ができなくなると、コイルスプリング１６が回りながらボルト１５に沿って上に移動していく。したがって、座金部材１４もこれに伴って上昇していき、最終的に図１７の（ｂ）に示すようにボルト１５が雌ネジ孔１４ｃの中に入り込み、この雌ネジ孔１４ｃの中に位置しているコイルスプリング１６と共にボルト１５が螺合する。」（段落【００４７】）
（タ）「このようにボルト１５を回す操作をするだけで、座金部材１４を上昇させてデッキ５２の下面に突き当てることができ、ボルト１５を強く締め上げることによって、座金部材１４と支持具１３とによってデッキ５２の上下面を挟持して固定することができる。」（段落【００４８】）
　これらの記載から、引用例には、「デッキ５２の取付け孔５３に支持具３、座金部材４、連鎖材及び操作手段を上側から固定し、該支持具３、座金部材４、連鎖材及び操作手段に水栓本体１を装着する水栓の固定装置において、デッキ５２の取付け孔５３に上側から配置され上下方向に通し孔３ｅとボルト孔３ｄとが近傍に穿設された支持具３と、取付け孔５３に挿通可能でデッキ５２の裏側に密着し、ほぼ半月状一対の座金ピース４ａに分割され、デッキ５２の取付け孔５３を挿通時に折り畳み可能とした座金部材４と、該座金部材４を保持すると共に支持具３に穿設された通し孔３ｅに挿通し、デッキ５２の上側から座金部材４を引上げ可能とした連鎖材と、支持具３の通し孔３ｅ近傍に穿設されたボルト孔３ｄに挿通し、デッキ５２の下側で座金部材４に締結可能な操作手段とからなり、前記座金部材４を連鎖材の操作でデッキ５２の裏画面へ引上げて密着させ、操作手段によりデッキ５２へ固定する水栓の固定装置」の発明が記載されていると認められる。
　　
（３）対比
　そこで、本願補正発明と引用例記載の発明とを比較すると、引用例記載の発明の「デッキ５２」、「取付け孔５３」、「支持具３、座金部材４、連鎖材及び操作手段」、「水栓の固定装置」、「通し孔３ｅ」、「ボルト孔３ｄ」、「支持具３」、「座金ピース４ａ」、「座金部材４」、「連鎖材」、「操作手段」は、本願補正発明の「天板」、「取付孔」、「取付部材」、「水栓の取付装置」、「細孔」、「縦孔」、「台座」、「物品」、「座金具」、「連結材」、「締結具」に相当するから、両者は、
「天板の取付孔に取付部材を上側から固定し、該取付部材に水栓本体を装着する水栓の取付装置において、天板の取付孔に上側から配置され上下方向に細孔と縦孔とが近傍に穿設された台座と、取付孔に挿通可能で天板の裏側に密着し、略円弧状で２つの物品に分割され、天板の取付孔を挿通時に折り畳み可能とした座金具と、該座金具を保持すると共に台座に穿設された細孔に挿通し、天板の上側から座金具を引上げ可能とした連結材と、台座の細孔近傍に穿設された縦孔に挿通し、天板の下側で座金具に締結可能な締結具とからなり、前記座金具を連結材の操作で天板の裏画面へ引上げて密着させ、締結具により天板へ固定する水栓の取付装置」である点で一致し、以下の点で相違している。
［相違点］
　連結材が、本願補正発明では、スプリングからなるのに対し、引用例記載の発明ではそのような構成ではない点。
　
（４）判断
［相違点］について
　引用例記載の発明に関する上記２．（ヲ）ないし（タ）には、他の実施例として、スプリングからなる連結材を締結材の先端に接続させて用いたものが記載されている。本願発明と引用例とは、スプリングの用い方が異なるというものの、スプリングの弾発性を利用して座金具１６，１７を水平方向に展開させることができる点では共通している。
　したがって、引用例記載の発明の連結材にスプリングを適用して、相違点に係る本願補正発明のような構成とすることは、当業者ならば容易に想到し得るものと認められる。
　そして、本願補正発明の作用効果も、引用例記載の発明、及び引用例記載の他の実施例から当業者が予測できる範囲のものである。
　よって、本願補正発明は、引用例に記載された発明及び他の実施例記載の発明に基づいて、当業者が容易に発明をすることができたものであるから、特許法第２９条第２項の規定により特許出願の際独立して特許を受けることができないものである。
　
（５）むすび
　以上のとおり、本件補正は、特許法第１７条の２第５項において準用する同法第１２６条第５項の規定に違反するものであり、特許法第１５９条第１項において読み替えて準用する特許法第５３条第１項の規定により却下するべきものである。
　
３．本願発明について
　平成１６年９月２日付けの手続補正は上記のとおり却下されたので、本願の請求項１に係る発明は、平成１５年１１月１２日付け手続補正書の特許請求の範囲の請求項１に記載された事項により特定される、次のとおりのものである。
「【請求項１】　天板の取付孔に取付部材を上側から固定し、該取付部材に水栓本体を装着する水栓の取付装置において、天板の取付孔に上側から配置する台座と、取付孔に挿通可能で天板の裏側に密着し、略円弧状で２つの物品に分割され、天板の取付孔を挿通時に折り畳み可能とした座金具と、該座金具に保持して天板の上側から座金具を引上げ可能としたスプリングからなる連結材と、台座の上下方向に穿設した縦孔に挿通し、天板の下側で座金具に締結可能な締結具とからなり、前記座金具を連結材の操作で天板の裏画面へ引上げて密着させ、締結具により天板へ固定することを特徴とする水栓の取付装置。」
（以下、請求項１に記載された発明を「本願発明」という。）
　
（１）引用例
　原査定の拒絶の理由に引用された引用例の記載事項は、前記「２．（２）」に記載したとおりである。
　
（２）対比・判断
　請求項１に記載された発明（以下、「本願発明」という）は、「台座」に関して、本願補正発明から「上下方向に細孔と縦孔とが近傍に穿設された」、及び「連結材」に関して「台座に穿設された細孔に挿通し、」、さらに「締結具」に関して「台座の細孔近傍に穿設された縦孔に挿通し、」との限定の構成を省いたものである。
　そうすると、本願発明の構成要件を全て含み、さらに他の構成要件を付加したものに相当する本願補正発明が、前記「２．（４）」に記載したとおり、引用例に記載された発明及び他の実施例記載の発明に基づいて、当業者が容易に発明をすることができたものであるから、本願発明も、同様の理由により、引用例に記載された発明及び他の実施例記載の発明に基づいて、当業者が容易に発明をすることができたものである。
  
（３）むすび
　以上のとおり、本願発明は、引用例に記載された発明及び他の実施例記載の発明に基づいて、当業者が容易に発明をすることができたものであり、特許法第２９条第２項の規定により特許を受けることができないから、本願は拒絶すべきものである。
　よって、結論のとおり審決する。